【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
被写体画像を撮像し記録するカメラ装置に対し、ネットワークを介して接続可能な撮影条件提供装置において、画像、及び当該画像に対応した撮影条件を示す撮影条件設定情報を記憶する記憶部と、前記カメラ装置に対し、前記記憶部に記憶されている画像と撮影条件設定情報とを送信する送信部とを備えたことを特徴とする撮影条件提供装置。
【請求項２】
前記記憶部に記憶されている画像を所定の送信サイズに縮小する縮小部を備え、前記送信部は、この縮小部によって縮小された画像を前記カメラ装置に送信することを特徴とする請求項１記載の撮影条件提供装置。
【請求項３】
前記所定の送信サイズは、前記カメラ装置の表示手段が有する画像表示能力に応じたサイズであることを特徴とする請求項２記載の撮影条件提供装置。
【請求項４】
被写体画像を撮像し記録するカメラ装置に対し、ネットワークを介して接続可能な撮影条件提供装置において、撮影により取得された画像が所定の送信サイズに縮小された画像、及び当該画像の撮影時に設定されていた撮影条件を示す撮影条件設定情報を記憶する記憶部と、前記カメラ装置に対し、前記記憶手段に記憶されている画像と撮影条件設定情報とを送信する送信部とを備えたことを特徴とする撮影条件提供装置。
【請求項５】
前記記憶部に記憶されている撮影条件設定情報をそれと対応する画像に付加する情報付加部を備え、この情報付加部により撮影条件設定情報が付加された画像を前記送信部によって前記カメラ装置に送信することを特徴とする請求項１乃至４いずれか記載の撮影条件提供装置。
【請求項６】
前記記憶部に記憶されている複数の画像のうちのいずれかを特定する特定情報を前記カメラ装置から受信する受信部と、前記送信部に、前記記憶部に記憶されている複数の画像を前記カメラ装置に対していったん送信させた後、前記受信部により受信された特定情報により特定された画像に対応する撮影条件設定情報を前記カメラ装置に対して送信させる制御部とを備えたことを特徴とする請求項１乃至５いずれか記載の撮影条件提供装置。
【請求項７】
前記送信手段が撮影条件設定情報を前記カメラ装置に送信することに伴い、前記カメラ装置の使用者に対する課金処理を行う課金処理部を備えたことを特徴とする請求項１乃至６いずれか記載の撮影条件提供装置。
【請求項８】
前記送信部により送信された画像及び撮影条件設定情報を受信する受信部を備えた撮影条件受信端末と、この撮影条件受信端末と通信可能であるとともに、被写体画像を撮像し記録するカメラ装置本体とから構成され、このカメラ装置本体は、前記撮影条件受信端末を介して受信した画像及び撮影条件設定情報を記憶する端末側記憶部と、この端末側記憶部に記憶された画像を表示する表示部と、前記端末側記憶部に記憶された撮影条件設定情報に基づき、撮影時の撮影条件を設定する設定部とを、備えたカメラ装置を接続の対象とすることを特徴とする請求項１又は４記載の撮影条件提供装置。
【請求項９】
ネットワークを介して接続される撮影条件提供装置と、被写体画像を撮像し記録するカメラ装置とから構成され、前記撮影条件提供装置は、画像、及び当該画像に対応した撮影条件を示す撮影条件設定情報を記憶する記憶部と、前記カメラ装置に対し、前記記憶部に記憶されている画像と撮影条件設定情報とを送信する送信部とを備え、前記カメラ装置は、前記撮影条件提供装置から送られた画像及び撮影条件設定情報を受信する受信部と、この受信部により受信された画像及び撮影条件設定情報を記憶する端末側記憶部と、この端末側記憶部に記憶された画像を表示する表示部と、使用者の要求に応じて、前記端末側記憶部に記憶された撮影条件設定情報に基づき、撮影時の撮影条件を設定する設定部とを備えたことを特徴とする撮影条件設定システム。
【請求項１０】
前記撮影条件提供装置は、前記記憶手段に記憶されている画像を所定の送信サイズに縮小する縮小部を備え、前記送信部は、この縮小手段によって縮小された画像を前記カメラ装置に送信することを特徴とする請求項９記載の撮影条件設定システム。
【請求項１１】
前記所定の送信サイズは、前記カメラ装置の表示部が有する画像表示能力に応じたサイズであることを特徴とする請求項１０記載の撮影条件設定システム。
【請求項１２】
ネットワークを介して接続される撮影条件提供装置と、被写体画像を撮像し記録するカメラ装置とから構成され、前記撮影条件提供装置は、撮影により取得された画像が所定の送信サイズに縮小された画像、及び当該画像の撮影時に設定されていた撮影条件を示す撮影条件設定情報を記憶する記憶部と、前記カメラ装置に対し、前記記憶部に記憶されている画像と撮影条件設定情報とを送信する送信部とを備え、前記カメラ装置は、前記撮影条件提供装置から送られた画像及び撮影条件設定情報を受信する受信部と、この受信部により受信された画像及び撮影条件設定情報を記憶する端末側記憶部と、この端末側記憶部に記憶された画像を表示する表示部と、使用者の要求に応じて、前記端末側記憶部に記憶された撮影条件設定情報に基づき、撮影時の撮影条件を設定する設定部とを備えたことを特徴とする撮影条件設定システム。
【請求項１３】
前記撮影条件提供装置は、前記記憶部に記憶されている撮影条件設定情報をそれと対応する画像に付加する情報付加部を備え、この情報付加部により撮影条件設定情報が付加された画像を前記送信部によって前記カメラ装置に送信し、前記カメラ装置の設定部は、前記受信部により受信した画像に付加されている撮影条件設定情報に示される撮影条件を、撮影時の撮影条件として設定することを特徴とする請求項９乃至１２いずれか記載の撮影条件設定システム。
【請求項１４】
前記撮影条件提供装置は、前記記憶部に記憶されている複数の画像のうちのいずれかを特定する特定情報を前記カメラ装置から受信する受信部と、前記送信部に、前記記憶部に記憶されている複数の画像を前記カメラ装置に対していったん送信させた後、前記受信部により受信された特定情報により特定された画像に対応する撮影条件設定情報を前記カメラ装置に対して送信させる制御部とを備え、前記カメラ装置は、前記撮影条件提供装置から送られた複数の画像のいずれかを選択する選択部と、この選択部により選択された画像を特定する特定情報を前記撮影条件提供装置に送信する送信部とを備えたことを特徴とする請求項９乃至１３いずれか記載の撮影条件設定システム。
【請求項１５】
前記撮影条件提供装置は、前記送信手段が撮影条件設定情報を前記カメラ装置に送信することに伴い、前記カメラ装置の使用者に対する課金処理を行う課金処理部を備えたことを特徴とする請求項９乃至１４いずれか記載の撮影条件設定システム。
【請求項１６】
前記カメラ装置は、前記受信部を備えた撮影条件受信端末と、この撮影条件受信端末と通信可能であるとともに、被写体画像を撮像し記録するカメラ装置本体とから構成され、このカメラ装置本体は、前記撮影条件受信端末を介して受信した画像及び撮影条件設定情報を記憶する端末側記憶部と、この端末側記憶部に記憶された画像を表示する表示手段と、前記端末側記憶部に記憶された撮影条件設定情報に基づき、撮影時の撮影条件を設定する設定部とを備えたことを特徴とする請求項９又は１２記載の撮影条件設定システム。
【請求項１７】
前記撮影条件提供装置の前記記憶部に記憶されている画像は前記カメラ装置によりアップロードされた画像を含むことを特徴とする請求項９又は１２記載の撮影条件設定システム。
【請求項１８】
ネットワークを介して接続可能な撮影条件設定情報に基づき撮影時の撮影条件を設定するカメラ装置に対し、前記撮影条件設定情報を提供する方法であって、画像、及び当該画像に対応する撮影条件を示す撮影条件設定情報を記憶する準備処理と、前記カメラ装置の使用者に対して、記憶されている複数の画像を表示させ、所望の画像を選択させる選択処理と、選択された画像に対応して記憶されている撮影条件設定情報を読み出す読み出し処理と、読み出した撮影条件設定情報と選択された画像とを関連づけて前記カメラ装置に対して送信する送信処理とを行うことを特徴とする撮影条件提供方法。
【請求項１９】
ネットワークを介して接続可能な撮影条件設定情報に基づき撮影時の撮影条件を設定するカメラ装置に対し、前記撮影条件設定情報を提供する方法であって、撮影により取得された画像が所定の送信サイズに縮小された画像、及び当該画像の撮影時に設定されていた撮影条件を示す撮影条件設定情報を記憶する準備処理と、前記カメラ装置の使用者に対して、記憶されている複数の画像を表示させ、所望の画像を選択させる選択処理と、選択された画像に対応して記憶されている撮影条件設定情報を読み出す読み出し処理と、読み出した撮影条件設定情報と選択された画像とを関連づけて前記カメラ装置に対して送信する送信処理とを行うことを特徴とする撮影条件提供方法。
【請求項２０】
被写体画像を撮像し記録するカメラ装置に対し、ネットワークを介して接続可能な撮影条件提供装置が有するコンピュータに、画像、及び当該画像に対応した撮影条件を示す撮影条件設定情報を、撮影条件提供装置が備えた記憶部に記憶させる処理と、撮影条件提供装置が備えた送信部に、前記記憶部に記憶されている画像と撮影条件設定情報とを前記カメラ装置に対して送信させる処理とを実行させるためのプログラム。
【手続補正２】
【補正対象書類名】明細書
【補正対象項目名】０００８
【補正方法】変更
【補正の内容】
【０００８】
【課題を解決するための手段】
前記課題を解決するために請求項１の発明にあっては、被写体画像を撮像し記録するカメラ装置に対し、ネットワークを介して接続可能な撮影条件提供装置（画像サーバ１０）において、前記撮影条件提供装置は、画像、及び当該画像に対応した撮影条件を示す撮影条件設定情報を記憶する記憶部（データファイル１２）と、前記カメラ装置に対し、前記記憶部に記憶されている画像と撮影条件設定情報とを送信する送信部（通信部１５）とを備えたものとした。


【手続補正３】
【補正対象書類名】明細書
【補正対象項目名】００２２
【補正方法】変更
【補正の内容】
【００２２】
また、請求項９の発明にあっては、ネットワークを介して接続される撮影条件提供装置と、被写体画像を撮像し記録するカメラ装置とから構成され、前記撮影条件提供装置は、画像、及び当該画像に対応した撮影条件を示す撮影条件設定情報を記憶する記憶部（データファイル１２）と、前記カメラ装置に対し、前記記憶部に記憶されている画像と撮影条件設定情報とを送信する送信部（通信部１５）とを備え、前記カメラ装置は、前記撮影条件提供装置から送られた画像及び撮影条件設定情報を受信する受信部（通信部１９）と、この受信部により受信された画像及び撮影条件設定情報を記憶する端末側記憶部（フラッシュメモリ５３）と、この端末側記憶部に記憶された画像を表示する表示部（ＴＦＴ型の液晶モニター３２）と、使用者の要求に応じて、前記端末側記憶部に記憶された撮影条件設定情報に基づき、撮影時の撮影条件を設定する設定部（ＣＰＵ４２）とを備えたものとした。


【手続補正４】
【補正対象書類名】明細書
【補正対象項目名】００３８
【補正方法】変更
【補正の内容】
【００３８】
また、請求項１８の発明にあっては、ネットワークを介して接続可能な撮影条件設定情報に基づき撮影時の撮影条件を設定するカメラ装置に対し、前記撮影条件設定情報を提供する方法であって、画像、及び当該画像に対応した撮影条件を示す撮影条件設定情報を記憶する準備処理と、前記カメラ装置の使用者に対して、記憶されている複数の画像を表示させ、所望の画像を選択させる選択処理と、選択された画像に対応して記憶されている撮影条件設定情報を読み出す読み出し処理と、読み出した撮影条件設定情報と選択された画像とを関連づけて前記カメラ装置に対して送信する送信処理とを行うものとした。


【手続補正５】
【補正対象書類名】明細書
【補正対象項目名】００４２
【補正方法】変更
【補正の内容】
【００４２】
また、請求項２０の発明にあっては、被写体画像を撮像し記録するカメラ装置に対し、ネットワークを介して接続可能な撮影条件提供装置が有するコンピュータに、画像、及び当該画像に対応した撮影条件を示す撮影条件設定情報を、撮影条件提供装置の記憶部に記憶させる処理と、撮影条件提供装置の送信部に、前記記憶部に記憶されている画像と撮影条件設定情報とを前記カメラ装置に対して送信させる処理とを実行させるためのプログラムとした。